(57)【特許請求の範囲】
【請求項１】
焦点が自動的に定められる撮像装置であって、
被写体像を撮像するための撮像手段と、
焦点検出枠が表示される焦点検出枠表示手段と、
撮像装置本体又は上記撮像手段の傾斜状態を検出する角度検出手段と、
上記角度検出手段により検出される上記傾斜状態に応じて上記焦点検出枠の表示状態を変化させる表示制御手段と、
を備え、
上記角度検出手段で検出される傾斜状態が上記焦点検出枠表示手段に表示され、
上記焦点検出枠には、全域ＡＦターゲット枠と、上記全域ＡＦターゲット枠を分割する複数のエリアごとの選択エリアＡＦターゲット枠とが含まれ、
上記表示制御手段は、
焦点が定まる前は、上記角度検出手段で検出された上記傾斜状態に応じて上記全域ＡＦターゲット枠の表示状態を変化させ、
焦点が定まった後は、上記角度検出手段で検出された上記傾斜状態に応じて上記複数の選択エリアＡＦターゲット枠のうち一部の選択エリアＡＦターゲット枠の表示状態を変化させる、
撮像装置。
【請求項２】
上記表示制御手段は、上記撮像手段により撮像された画像が記録された後は、上記角度検出手段で検出された上記傾斜状態に応じて上記全域ＡＦターゲット枠の表示状態を変化させる、
請求項１記載の撮像装置。
【請求項３】
上記表示制御手段は、上記複数のエリアごとのＡＦ評価値に基づいて、上記複数の選択エリアＡＦターゲット枠のうち一部の選択エリアＡＦターゲット枠の表示状態を変化させる、
請求項１または２記載の撮像装置。
【請求項４】
被写体像を撮像するための撮像手段を備え、焦点合わせが自動的に行われる撮像装置を用いて実行される撮像方法であって、
被写体像を撮像する撮像ステップと、
焦点検出枠を表示手段に表示する焦点検出枠表示ステップと、
上記撮像手段又は上記撮像装置の傾斜状態を検出する角度検出ステップと、
上記角度検出ステップで検出される傾斜状態を上記表示手段に表示する角度表示ステップと、
を備え、
上記焦点検出枠には、全域ＡＦターゲット枠と、上記全域ＡＦターゲット枠を分割する複数のエリアごとの選択エリアＡＦターゲット枠とが含まれ、
上記角度表示ステップは、
焦点が定まる前は、上記角度検出ステップで検出された上記傾斜状態に応じて上記全域ＡＦターゲット枠の表示状態を変化させ、
焦点が定まった後は、上記角度検出ステップで検出された上記傾斜状態に応じて上記複数の選択エリアＡＦターゲット枠のうち一部の選択エリアＡＦターゲット枠の表示状態を変化させる、
撮像方法。
【発明の詳細な説明】
【技術分野】
【０００１】
本発明は、撮像装置の傾斜状態を検出し、撮影者に通知する機能を備えた撮像装置及び撮像方法に関する。
【背景技術】
【０００２】
従来、デジタルスチルカメラやデジタルビデオカメラ等の撮像装置を用いて被写体を撮影する際に、撮影者は、被写体に対する撮像装置の姿勢ないしは傾斜をビューファインダや液晶表示素子からなるモニタ（以下「ＬＣＤモニタ」という）等の視野枠等を基準として感覚的に判断していた。
このため、建築物の撮影やパノラマ撮影等のように正確なフレーミングを必要とする場合、撮像装置が不本意に傾いていることに気付かずに撮影を行ってしまうことがあった。
【０００３】
そのような問題を解決するために、撮像装置の姿勢を検出する姿勢検出装置を内蔵し、この検出結果を撮影者に通知する撮像装置が提案されている。
【０００４】
例えば、ＬＣＤモニタ等からなる電子ファインダ内には、フォーカスマークやその他の情報が表示されるようになっているが、これらの表示とは別に撮像装置の姿勢情報を表示させ、撮影者に通知するようにしたものがある。例えば、撮像装置本体の外側で見やすい所に外付け表示部を取り付け、そこに姿勢情報を表示して、撮影者に通知することが行われている（特許文献１参照）。
また、カメラ本体に機械的な振動を伝達させるための振動手段を設け、振動によって撮影者に傾斜状態を通知する撮像装置が提案されている（特許文献２参照）。
【特許文献１】特開平８−２７９９３５号公報
【特許文献２】特開平１１−３３８０３７号公報
【発明の開示】
【発明が解決しようとする課題】
【０００５】
しかしながら、ファインダやＬＣＤモニタ内に従来の表示項目に加え更に姿勢情報を表示すると、ファインダやＬＣＤモニタ内に表示する情報量が増え、被写体によっては、見難くなる場合があった。また、撮像装置本体の外側の外付けした表示部で姿勢情報を確認するためには、ファインダやＬＣＤモニタから目を離さなければならず、被写体の位置を確認しながらのフレーミングを行うことはできない。さらに、外部に新たな部材を設けることになるから、撮像装置の小型化を妨げることになってしまう。
【０００６】
また、振動により傾斜状態を通知するように構成することも考えられるが、専用の振動手段を設ける必要があるため、スペース確保が必要となり、消費電力も大きくなり、コストも高くなる。
【０００７】
本発明は、上記課題を鑑みてなされたものであって、ファインダやＬＣＤモニタ内に表示される被写体の視認性を損なうことがなく、かつ、省スペース性、省電力性、及び、低コスト性に優れた、姿勢検知を行うことのできる撮像装置及び撮像方法を提供することを目的とする。
【課題を解決するための手段】
【０００８】
本発明は、焦点が自動的に定められる撮像装置であって、被写体像を撮像するための撮像手段と、焦点検出枠が表示される焦点検出枠表示手段と、撮像装置本体又は撮像手段の傾斜状態を検出する角度検出手段と、角度検出手段により検出される傾斜状態に応じて焦点検出枠の表示状態を変化させる表示制御手段と、を備え、角度検出手段で検出される傾斜状態が焦点検出枠表示手段に表示され、焦点検出枠には、全域ＡＦターゲット枠と、全域ＡＦターゲット枠を分割する複数のエリアごとの選択エリアＡＦターゲット枠とが含まれ、表示制御手段は、焦点が定まる前は、角度検出手段で検出された傾斜状態に応じて全域ＡＦターゲット枠の表示状態を変化させ、焦点が定まった後は、角度検出手段で検出された傾斜状態に応じて複数の選択エリアＡＦターゲット枠のうち一部の選択エリアＡＦターゲット枠の表示状態を変化させる、ことを特徴とする。
【０００９】
また、本発明は、表示制御手段は、撮像手段により撮像された画像が記録された後は、角度検出手段で検出された傾斜状態に応じて全域ＡＦターゲット枠の表示状態を変化させる、ことを特徴とする。
【００１０】
また、本発明は、表示制御手段は、複数のエリアごとのＡＦ評価値に基づいて、複数の選択エリアＡＦターゲット枠のうち一部の選択エリアＡＦターゲット枠の表示状態を変化させる、ことを特徴とする。
【００１１】
また、本発明は、被写体像を撮像するための撮像手段を備え、焦点合わせが自動的に行われる撮像装置を用いて実行される撮像方法であって、被写体像を撮像する撮像ステップと、焦点検出枠を表示手段に表示する焦点検出枠表示ステップと、撮像手段又は撮像装置の傾斜状態を検出する角度検出ステップと、角度検出ステップで検出される傾斜状態を表示手段に表示する角度表示ステップと、を備え、焦点検出枠には、全域ＡＦターゲット枠と、全域ＡＦターゲット枠を分割する複数のエリアごとの選択エリアＡＦターゲット枠とが含まれ、角度表示ステップは、焦点が定まる前は、角度検出ステップで検出された傾斜状態に応じて全域ＡＦターゲット枠の表示状態を変化させ、焦点が定まった後は、角度検出ステップで検出された傾斜状態に応じて複数の選択エリアＡＦターゲット枠のうち一部の選択エリアＡＦターゲット枠の表示状態を変化させる、ことを特徴とする。
【発明の効果】
【００２４】
本発明によれば、ファインダやＬＣＤモニタ内に表示される自動合焦制御（以下「ＡＦ」という）ターゲット表示の態様を変化させることで撮像装置の姿勢情報を撮影者に知らせることにより、撮像装置のユーザーはファインダ内に表示される被写体画像の視認性を損なうことなく、撮像装置の姿勢を認識することができる。また、従来の撮像装置と比較して新たな構成を追加することが無いため、省スペース性、省電力性、及び、低コスト性に優れた姿勢検知を行うことができる。
【発明を実施するための最良の形態】
【００２５】
以下、本発明の実施形態について図を用いて説明する。
まず、本発明の実施形態にかかる撮像装置の一例であるデジタルスチルカメラの外観について説明する。本実施形態の撮像装置は、ＬＣＤモニタを用いて被写体を確認して撮影を行うデジタルスチルカメラである。
【００２６】
図１は、本発明の実施形態に係るデジタルカメラの前方斜視図、図２は本発明の実施形態に係るデジタルカメラの後方斜視図である。
デジタルカメラ（以下、「カメラ本体」という場合もある。）１は、上面側に、撮影時に押下するシャッターボタン（以下、「レリーズボタン」という。）２、電源ボタン３、各種モードを切り換えるモードダイヤル４、シフトダイヤル５、必要時にポップアップする収納型のフラッシュ部６、外部フラッシュや外付け光学ファインダを取り付けるアクセサリシュー７を有する。カメラ本体の前面側には撮影レンズ８が組み込まれている。ここでいう「撮像レンズ」とは、後述する鏡胴ユニット６２に含まれる複数のレンズの総称である。カメラ本体１の背面側には、ズームボタン９、メニューカーソル指示ボタン類および選択指示ボタン（以下、「操作キーユニット」という。）１０、再生ボタン１１、削除／セルフタイマーボタン１２、被写体の画像を表示したりモード情報を表示したりする例えばＬＣＤパネル等の電子ビューパネルであるモニタ画面１５、そのモニタ画面１５の表示切り替え処理に適用する切り替えボタン１４、被写体に対する焦点制御が完了し、焦点が合ったことの確認ランプとして機能し、また、ストロボの充電期間であることを点灯表示する合焦確認・ストロボ充電確認共用発光ダイオード１６が配置されている。カメラ本体１の側面には、ＡＶ端子口とＵＳＢ端子口（外部接続端子口）を被う端子蓋１７が配置され、また、カメラ本体１の底面には、バッテリ挿入口と画像記録用メモリカード挿入口を被う電池蓋１８が設けられている。
【００２７】
次に、本実施形態に係るデジタルカメラに内蔵されている制御系統について図３に示すブロック図を参照しながら説明する。
図３において、デジタルカメラ本体１は、各種レンズ及びモータを有する鏡胴ユニット６２と、カメラ本体１に内蔵されているＣＣＤ１０１と、撮像データの各種調整を行うフロントエンドＩＣ１０２と、カメラ本体１全体の制御やデータ処理に中心的な役割を果たすデジタルスチルカメラプロセッサ（以下、「プロセッサ」という場合もある。）１０４と、画像データに各種処理を施す際に、画像データを一時的に保存するＳＤＲＡＭ１０３と、内蔵メモリ１０７と、ＲＯＭ１０８と、を備えている。
【００２８】
鏡胴ユニット６２は、撮影レンズ光学系、鏡胴、及び、鏡胴を駆動するパルスモータである複数のモータを有していて、撮影時の焦点合わせや露光時の絞りの調整を行う。
具体的には、鏡胴ユニット６２は、被写体の光学画像を取り込むズーム（ＺＯＯＭ）レンズ６２−１ａ及びズーム駆動モータ６２−１ｂからなるズーム光学系６２−１と、フォーカス（ＦＯＣＵＳ）レンズ６２−２ａ及びフォーカス駆動モータ６２−２ｂからなるフォーカス光学系６２−２と、絞り６２−３ａ及び絞りモータ６２−３ｂからなる絞りユニット６２−３と、メカシャッタ６２−４ａ及びメカシャッタモータ６２−４ｂからなるメカシャッタユニット４２−４と、各モータの駆動制御を行うモータドライバ６２−５と、を有する。
【００２９】
そして、撮影時に鏡胴ユニット６２から取り込まれた画像は、カメラ本体１に内蔵されている撮像素子であるＣＣＤ１０１の表面に結像される。ＣＣＤ１０１において電気信号（アナログデータ）に変換された画像のデータは、次に、フロントエンドＩＣ（図９における「Ｆ／Ｅ―ＩＣ」）１０２へ送られる。
フロントエンドＩＣ１０２は、ＣＣＤ２０から送られたデータに各種調整を加えるための装置であり、画像ノイズ除去用相関二重サンプリングを行うＣＤＳ１０２−１、利得調整を行うＡＧＣ１０２−２、アナログ信号をデジタル信号に変換するＡ／Ｄ１０２−３を有する。また、フロントエンドＩＣ１０２は、ＴＧ（駆動タイミング信号発生部）１０２−４を有する。ＴＧ１０２−４は、プロセッサ１０４内にあるＣＣＤ１信号処理ブロック１０４−１から垂直同期信号（以下、「ＶＤ」という。）と水平同期信号（以下、「ＨＤ」という。）が供給され、ＣＰＵブロック１０４−３によって制御される。
【００３０】
フロントエンドＩＣ１０２において各種調整が行われた電気信号は、次に、デジタルスチルカメラプロセッサ１０４へ送られる。デジタルスチルカメラプロセッサ１０４は、電気信号として送られてきた撮影画像ファイルのデータ処理や、カメラ本体１全体の動作の制御において中心的な役割を果たす装置である。プロセッサ１０４は、ＣＣＤ２６からフロントエンドＩＣ１０２へ送られるデータにホワイトバランス設定やガンマ設定を行う。また、プロセッサ１０４は、垂直同期信号ＶＤと水平同期信号ＨＤを供給するＣＣＤ１信号処理ブロック１０４−１、フィルタリング処理により、輝度データ、色差データへの変換を行うＣＣＤ２信号処理ブロック１０４−２、カメラ本体１に内蔵されているモータ等の各装置の動作を制御するＣＰＵブロック１０４−３、各部の動作制御に必要なデータ等を一時的に保存するＬｏｃａｌ  ＳＲＡＭ１０４−４、パソコン等の外部機器とＵＳＢ通信を行うＵＳＢブロック１０４−５、パソコン等の外部機器とシリアル通信を行うシリアルブロック１０４−６、ＪＰＥＧファイルの圧縮、拡張を行うＪＰＥＧ  ＣＯＤＥＣブロック１０４−７、画像データのサイズを補間処理により拡大、縮小するリサイズ（ＲＥＳＩＺＥ）ブロック１０４−８、ＬＣＤドライバ１０９を介して画像データをＬＣＤモニタ（以下、「モニタ画面」ともいう。）１５に表示するためのビデオ信号に変換するＴＶ信号表示ブロック１０４−９、メモリカードスロット（不図示）に挿入されて、撮影された画像データを記録するメモリカード（不図示）の制御を行うメモリカードコントローラブロック１０４−１０、及び、加速度センサ６７とＣＰＵブロック１０４−３との間のシリアル通信を行うＩ２Ｃブロック１０４−１１を備えていて、これらの構成要素間ではバスラインを介して常にデータの授受が行われている。
【００３１】
また、プロセッサ１０４の外部にはＳＤＲＡＭ１０３、内蔵メモリ１０７及び各種制御プログラムが格納されたＲＯＭ１０８が配置されていて、プロセッサ１０４とバスラインによって繋がっている。
ＳＤＲＡＭ１０３は、前述したプロセッサ１０４で画像データに各種処理を施す際に、画像データを一時的に保存する。保存される画像データは、例えば、ＣＣＤ２６から、フロントエンドＩＣ１０２を経由して取り込んで、ＣＣＤ１信号処理ブロック１０４−１でホワイトバランス設定、ガンマ設定が行われた状態の「ＲＡＷ−ＲＧＢ画像データ」やＣＣＤ２制御ブロック１０４−２で輝度データ・色差データ変換が行われた状態の「ＹＵＶ画像データ」、ＪＰＥＧ
ＣＯＤＥＣブロック１０４−７で、ＪＰＥＧ圧縮された「ＪＰＥＧ画像データ」などである。
【００３２】
内蔵メモリ１０７は、前述したメモリカードスロットにメモリカードが装着されていない場合でも、撮影した画像データを記憶できるようにするためのメモリである。
ＲＯＭ１０８は、プロセッサ１０４内にあるＣＰＵブロック１０４−３にて解読可能なコードで記述された制御プログラムや、制御するためのパラメータを格納している。
デジタルカメラ１の電源がオン状態になると、制御プログラムは不図示のメインメモリにロードされる。そして、ＣＰＵブロック１０４−３がその制御プログラムに従って装置各部の動作を制御するとともに、制御に必要なデータ等を、一時的に、プロセッサ１０４内にあるＬｏｃａｌ  ＳＲＡＭ１０４−４に保存する。
【００３３】
なお、ＲＯＭ１０８として書き換え可能なフラッシュＲＯＭを使用することで、制御プログラムや制御するためのパラメータを変更することが可能となり、機能のバージョンアップを容易に行うことができるようになる。
そして、各種処理が行われた後の最終的な画像データは、装置内部に設けられた内蔵メモリ１０７に保存されるか、又は、メモリカードスロットに挿入された、着脱可能な外部記録媒体であるメモリカードに保存される。
【００３４】
また、プロセッサ１０４には、加速度を検出するための装置である加速度センサ１１１が接続されている。加速度センサ１１１はプリント回路基板（ＰＣＢ）上に実装され、２軸Ｘ、Ｙと温度Ｔのデータを出力する。そのデータからカメラ本体１の傾きを演算し、ＬＣＤモニタ（１５）等に表示する。
この加速度センサ１１１により検出された加速度データは、Ｉ２Ｃブロック１０４−１１に送信され、ＣＰＵブロック１０４−３が認識できるシリアル信号へと変換される。そして、Ｉ２Ｃブロック１０４−１１において生成される加速度データを含むシリアル信号が、ＣＰＵブロック１０４−３へ送られることで、加速度センサ１１１とＣＰＵブロック１０４−１１との間でシリアル通信が行われる。
【００３５】
なお、本実施形態における上記加速度センサ１１１の取り付け位置は、鏡胴ユニット６２であったり、あるいはプロセッサ１０４と同一の基板上であったりしても良い。加速度センサ１１１が鏡胴ユニット６２に取り付けられている場合は、鏡胴ユニット６２の姿勢を検出することで間接的にカメラ本体１の姿勢が検出される。また、プロセッサ１０４と同一基板上であるときは、カメラ本体１の姿勢を直接検出することができる。
【００３６】
ＣＰＵブロック１０４−３はその加速度データを基にして、後述するＲＯＭ１０８に保存されている閾値及び計算式を用いて演算処理を行い、後述するモータドライバ６２−５に対する動作の制御を行うための指示信号を生成する。この指示信号がモータドライバ６２−５に送信されることで、モータドライバ６２−５の動作制御が行われる。
【００３７】
モータドライバ６２−５は、鏡胴ユニット６２内にある各モータを制御するための装置である。各モータは、運動量が電流パルスにより制御されるパルスモータである。パルスモータの出力（トルク）は、モータに印加される電流及び電圧が増加するのに伴い増加し、パルスレートが増加するのに伴い減少する。そのため、これらのモータのトルクは、電流、電圧、及び、パルスレートを調整することで制御することができる。
【００３８】
このような構成を備えた本発明に係るデジタルカメラの実施形態において、加速度センサ１１１が感知したデジタルカメラ１の姿勢情報（以下、「角度情報」ともいう。）は、撮影者が被写体の撮影時に覗くＬＣＤモニタ１５の視野を煩わしいものとすることなく、撮影者に提供される。
【００３９】
以下、本発明に係る撮像装置および撮像方法が特徴としている姿勢情報の提供について、実施例ごとに説明する。実施例にかかる撮像装置はいずれもデジタルカメラであるが、デジタルカメラに限らず、撮像装置一般に適用可能である。
【実施例１】
【００４０】
図４は、本発明の実施形態における加速度センサ出力の処理手順を示すフローチャートである。図４において、まず、加速度センサ１１１の電源がＯＮになる。これは、デジタルカメラ１の電源投入と同時に行われてもよいし、あるいは撮影者により加速度センサ１１１を使用する撮影モードが選択されたとこに行われてもよい。
次に、加速度センサのデータを、Ｉ２Ｃブロック１０４−１１を経てＣＰＵブロック１０４−３が取得し、角度（θ）を算出する。角度算出後は、５０ｍｓの時間を置いて、再度加速度センサのデータ取得ステップに戻り、以上の動作を繰り返す。
【００４１】
ここで、角度算出は、定期的に得られる加速度センサからのデータに基づき以下のように行われる。
加速度センサの、Ｘ軸出力をｘ、Ｙ軸出力をｙ、温度出力をｔとしたとき、重力ゼロでの出力ｇ（ｔ）、ＸとＹの重力の比Ｒ、検出角θはそれぞれ以下の式で得ることができる。
ｇ（ｔ）＝２０４８＋０．４＊ｔ
Ｒ（ｘ，ｙ，ｔ）＝（ｙ−ｇ（ｔ））／（ｘ−ｇ（ｔ））
θ＝１８０／π＊ａｒｃｔａｎ（Ｒ（ｘ，ｙ，ｔ））−θ０
０＜θ＜３６０の範囲でθは２つの候補が出てきてしまうので、ｘ−ｇ（ｔ）が正負どちらなのかを判定し、θを決定する。θが＋９０度近傍であれば、θ０ではなく、θ９０を用いて、
θ＝１８０／π＊ａｒｃｔａｎ（Ｒ（ｘ，ｙ，ｔ））−θ９０
の式でθを再計算する。θが−９０度近傍であればθ０ではなく、θ２７０を用いて、
θ＝１８０／π＊ａｒｃｔａｎ（Ｒ（ｘ，ｙ，ｔ））−θ２７０
の式により、θを再計算する。
ここで、θ０は、カメラ水平（０度）でのＣＣＤと加速度（Ｇ）センサの相対ロール角である。また、θ９０は、カメラ縦（＋９０°：上向き）でのＣＣＤとＧセンサの相対ロール角である。また、θ２７０は、カメラ縦（−９０°：下向き）でのＣＣＤと加速度（Ｇ）センサの相対ロール角である。
【００４２】
次に、算出された角度をもとに、ＡＦターゲット枠の表示が変更される。
図５は、本発明の実施例１における水平度表示制御を表すフローチャート、図８は、本発明の各種実施形態におけるＡＦ表示枠の例と、この表示枠を用いたカメラ本体１の傾き表示の各種態様を示す。
【００４３】
図５に示すフローにおいて、まず、表示更新判定が行われ、前回の姿勢情報が表示されてから０．２秒が経過したかどうかが判定される。０．２秒が経過している場合は、図２に示す加速度センサの出力信号処理フローで定期的に検出している角度（θ）から角度判定を行う。
【００４４】
そして、検出角度（θ）がθ≦−０．５°の場合はＡＦターゲット表示の右枠部を赤表示にて表示する（図８（１）−ｂ参照）。図８（１）は、ファインダ視野あるいはＬＣＤモニタ画面中においてＡＦが有効に働く範囲の四隅にそれぞれＬ字形の図形をＡＦターゲット枠として表示してＡＦの有効範囲を明示した例を示す。
検出角度（θ）がθ≧＋０．５°の場合はＡＦターゲット表示の左枠部を赤表示にて表示する（図８（１）−ｃ参照）。
検出角度（θ）が−０．５°＜θ＜＋０．５°の場合は、ＡＦターゲット表示の枠全部を緑表示にて表示する（図８（１）−ａ参照）。
この図８（１）−ａ〜ｃの動作は、０．２秒間隔で繰り返される。
【００４５】
なお、本実施例では、検出角度（θ）がθ≦−０．５°の場合にＡＦターゲット枠の右枠部を赤表示としたが、左枠部を赤表示とし、同様に、検出角度（θ）がθ≧＋０．５°の場合は右枠部を赤表示としてもかまわない。
また、本実施例ではＡＦターゲット枠を変色させることでデジタルカメラ１の姿勢情報を示したが、本発明においてはそれに限らず、例えばＡＦターゲット枠を点滅させることで姿勢情報を示しても良い。以下、ＡＦターゲット枠を点滅させる姿勢情報の表示方式について説明を行う。
【００４６】
図６は、本発明の実施例１の水平度表示制御の別の態様を示すフローチャートである。まず、表示更新判定にて、前回の姿勢情報が表示されてから０．２秒が経過したかどうかが判定される。０．２秒が経過している場合は、図２の加速度センサフローで定期的に検出している角度（θ）から角度判定を行う。
【００４７】
検出角度（θ）がθ≦−０．５°の場合はＡＦターゲット表示の右枠部を点滅表示にて表示する（図８（３）−ｂ参照）。
検出角度（θ）がθ≧＋０．５°の場合はＡＦターゲット表示の左枠部を点滅表示にて表示する（図８（３）−ｃ参照）。
検出角度（θ）が−０．５°＜θ＜＋０．５°の場合は、ＡＦターゲット表示の枠全部を点灯表示にて表示する（図８（３）−ａ参照）。
この図８（２）−ａ〜ｃの動作は、０．２秒間隔で繰り返される。
なお、検出角度（θ）がθ≦−０．５°の場合にＡＦターゲット部の右枠部を点滅表示としたが、左枠部を点滅表示とし、同様に、検出角度（θ）がθ≧＋０．５°の場合は右枠部を点滅表示としてもかまわない。
【００４８】
次に、上述したＡＦターゲット枠の表示変化を用いた撮像動作の全体を説明する。
図７は、本発明の実施例１に係る撮像動作全体の制御を示すフローチャートである。まず、レリーズ半押し判定にて、レリーズが半押しされているかどうかが判定される。レリーズが半押しされている場合は、ＡＥ処理を行う。ここでは、測光結果をもとに、画像記録時に使用するシャッタスピード、絞り開口、ＩＳＯ感度値を決定する。
【００４９】
次に、ＡＦ処理を行う。ここでは、例えば山登り方式のＣＣＤ−ＡＦが行われる。撮影レンズを介して被写体像が結像されるＣＣＤから出力される、画像信号のコントラストを示すＡＦ評価値が最大になるようにフォーカスレンズが移動される。
ＡＦ処理の後は、角度検出定期処理が開始される。ここでは、図４を用いて説明したように、加速度センサの電源がＯＮとなり、定期的に加速度センサのデータを取得し、角度算出が行われる。
【００５０】
次に、ＡＦターゲット表示の更新処理を行う。ここでは、図５又は図６を用いて説明したように、定期的に、算出角度結果に応じてＡＦターゲットの枠表示を更新する。
次に、レリーズ全押し判定が行われる。レリーズボタン２が半押しの状態から更に押し込まれ、全押しされた場合は、角度検出定期処理が停止するとともに、加速度センサ１１１の電源供給も停止する。そして、記録処理が実行される。
【００５１】
また、レリーズ全押し判定にて、全押しされていない場合は、レリーズ半押し判定を行い、レリーズ半押しが継続されているか否かが判断される。レリーズ半押しが解除（ＯＦＦ）された場合は、角度検出定期処理を停止させるとともに、加速度センサの電源供給も停止する。レリーズ半押しが継続されている場合は、ＡＦターゲット表示更新処理に戻ってそれ以後の動作を継続する。
【００５２】
このように、本実施例１においては、従来のデジタルカメラにおけるＡＦ動作時にＬＣＤモニタ内に表示されてきたＡＦターゲット枠の表示を変えることで、撮影者にデジタルカメラの姿勢が通知される。
そのため、ＬＣＤモニタ内に新たな表示を追加する必要がなく、モニタに表示される被写体の視認性を損なうことがない。また、ＬＣＤモニタやファインダ内の表示でカメラ本体の傾きないしは姿勢を認識することができるため、ユーザーは撮影時にモニタやファインダに表示されている被写体から目を離す必要がない。さらに、外部に新たな部材を設ける必要がないため、デジタルカメラの小型化を妨げることがない。また、モータ等の駆動部を追加することもないため、消費電力及び製造コストを低く抑えることができる。
【実施例２】
【００５３】
実施例２は、デジタルカメラの姿勢情報が音声により通知されるようにしたものである。これにより、ＬＣＤモニタ内に新たな表示を追加する必要がなく、被写体の視認性を損なうことがない。そして、撮影者はＬＣＤモニタやファインダから目を離すことなく姿勢情報を知ることができる。さらに、音声により通知されることにより、表示部材を用いない場合でも、姿勢情報を得ることができる。以下、本実施例について詳述する。
【００５４】
まず、実施例１において図４を用いて説明した動作と同様にして、加速度センサ１１１の電源がＯＮになる。次に、加速度センサのデータを取得し、角度（θ）算出を行う。角度算出後は、５０ｍｓの時間を置いて、再度加速度センサ１１１のデータ取得を行う。
【００５５】
次に、加速度センサ１１１から取得したデータをもとに、デジタルカメラ１の姿勢情報が通知音により撮影者に通知される。この通知音の制御について、以下に説明する。
図９は、本発明の実施例２における通知音制御を示すフローチャートである。
【００５６】
まず、通知間隔判定にて、前回の通知から０．５秒経過したかどうかが判定される。０．５秒経過している場合は、図４の加速度センサフローで定期的に検出している角度（θ）をもとにして角度判定を行う。
検出角度（θ）が−０．５°＜θ＜＋０．５°の場合は、通知音用の音声データを音声ブロック１０４−１２から出力し、通知音を発する。上記以外の検出角度（θ）の場合は、通知音は発しない。この一連の動作は、０．５秒間隔で繰り返される。
【００５７】
このように、本実施例においては、所定時間毎に角度判定が行われ、その結果に基づいてデジタルカメラの姿勢情報が撮影者に通知される。そのため、ＬＣＤモニタ内に新たな表示を追加する必要がなく、被写体の視認性を損なうことがない。また、作業者はＬＣＤモニタやファインダから目を離す事がなく、デジタルカメラの姿勢情報を知ることができる。
【実施例３】
【００５８】
実施例３は、姿勢情報の通知を音声で行う場合において、複数の角度範囲に対し、音量の異なる通知音を割り当てるようにしたものである。具体的には、通知音は０．５秒間隔で通知され、通知音の音量は、上から、「大」、「中１」、「中２」、「小」と４段階に分けられている。そして、検出角度に応じて音量が切り替えられる。なお、これら音量データは、内蔵メモリ１０７に保存されている。
【００５９】
図１０は、本発明の実施例３における通知音制御を示すフローチャートである。まず、実施例１と同様、通知間隔判定にて、０．５秒経過したかどうかが判定される。０．５秒経過後は、前述の図４の加速度センサフローで定期的に検出している角度（θ）から角度判定が行われる。
【００６０】
検出角度（θ）が−０．５°＜θ＜＋０．５°の場合は、通知音用の音声データの音量が「大」に設定され、音声ブロック１０４−１２から音量データが出力され、「大」の音量での通知が実行される。
検出角度（θ）が−２°＜θ＜＋２°の場合は、通知音用の音声データの音量が「中１」に設定され、音声ブロック１０４−１２から音量データが出力され、「中１」の音量での通知が実行される。
【００６１】
検出角度（θ）が−５°＜θ＜＋５°の場合は、通知音用の音声データの音量が「中２」に設定され、音声ブロック１０４−１２から音量データが出力され、「中２」の音量での通知が実行される。
検出角度（θ）が−１０°＜θ＜＋１０°の場合は、通知音用の音声データの音量が「小」に設定され、音声ブロック１０４−１２から音量データが出力され、「小」の音量での通知が実行される。
検出角度（θ）が−１０°以下または、＋１０°以上の場合は、通知は実行されない。
【００６２】
このように、変形例３においては通知音量を変えることで姿勢情報が通知される。そのため、ＬＣＤモニタ内に新たな表示を追加する必要がなく、被写体の視認性を損なうことがない。また、撮影者はＬＣＤモニタやファインダから目を離すことなく、容易にデジタルカメラ１の姿勢の傾き及びその程度を判断することができる。
【実施例４】
【００６３】
実施例４は、実施例３において音声通知が音量を変えて行われていた代わりに、図１１に示すように、周波数を変えることで行うようにした例である。周波数が変更される以外は実施例３と同様であるため、ここでは周波数の種類のみ説明する。
【００６４】
図１１に示す実施例４において、通知音の周波数は４段階に分けられ、検出角度に応じて周波数を切り替える制御が実施されている。周波数は、上から、「高」、「中１」、「中２」、「低」が用意されている。また、各周波数の音声データは、予め内蔵メモリ１０７に保存されている。
【００６５】
検出角度（θ）が−０．５°＜θ＜＋０．５°の場合は、「高」の周波数の音声データが音声ブロック（１０４−１２）から出力され、通知が実行される。
検出角度（θ）が−２°＜θ＜＋２°の場合は、「中１」の周波数の音声データが音声ブロック（１０４−１２）から出力され、通知が実行される。
検出角度（θ）が−５°＜θ＜＋５°の場合は、「中２」の周波数の音声データが音声ブロック（１０４−１２）から出力され、通知が実行される。
検出角度（θ）が−１０°＜θ＜＋１０°の場合は、「低」の周波数の音声データが音声ブロック（１０４−１２）から出力され、通知が実行される。
検出角度（θ）が−１０°以下または、＋１０°以上の場合は、通知は行わない。
【００６６】
このように、実施例４においては、通知音の周波数を変えることでカメラの姿勢情報が通知される。そのため、ＬＣＤモニタ内に新たな表示を追加する必要がなく、被写体の視認性を損なうことがない。また、撮影者はＬＣＤモニタやファインダから目を離すことなく、容易にデジタルカメラ１の姿勢の傾き及びその程度を判断することができる。
【実施例５】
【００６７】
実施例５は、デジタルカメラ１の姿勢に応じて通知音を発する間隔を変化させるようにした例である。
図１２は、本発明の実施例５における通知音制御を示すフローチャートである。実施例５においては、通知音の通知間隔が４段階に分けられ、検出角度に応じて通知間隔を切り替える制御が行われている。
【００６８】
まず、実施例１と同様、図４の加速度センサフローで定期的に検出している角度（θ）から角度判定が行われる。
検出角度（θ）が−０．５°＜θ＜＋０．５°の場合は、通知音の通知間隔が０．２５秒となり、０．２５秒経過後、通知音用の音声データが音声ブロック１０４−１２から出力され、通知が実行される。
【００６９】
検出角度（θ）が−２°＜θ＜＋２°の場合は、通知音の通知間隔が０．５秒となり、０．５秒経過後、通知音用の音声データが音声ブロック１０４−１２から出力され、通知が実行される。
検出角度（θ）が−５°＜θ＜＋５°の場合は、通知音の通知間隔が０．７５秒となり、０．７５秒経過後、通知音用の音声データが音声ブロック１０４−１２から出力され、通知音が実行される。
【００７０】
検出角度（θ）が−１０°＜θ＜＋１０°の場合は、通知音の通知間隔が１秒となり、１秒経過後、通知音用の音声データが音声ブロック１０４−１２から出力され、通知が実行される。
検出角度（θ）が−１０°以下または、＋１０°以上の場合は、通知は行わない。
【００７１】
このように、実施例５においては通知音の間隔を変えることで姿勢情報が通知される。そのため、ＬＣＤモニタ内に新たな表示を追加する必要がなく、被写体の視認性を損なうことがない。また、撮影者はＬＣＤモニタやファインダから目を離すことなく、容易にデジタルカメラ１の姿勢の傾き及びその程度を判断することができる。
【実施例６】
【００７２】
上述した各実施例においては、撮影者にデジタルカメラ１の姿勢情報を通知するか否かの基準となる角度の範囲は予め設定されていて、撮影者による変更は行えないようになっていた。実施例６では、その基準となる角度の範囲を、予め設定されている複数の候補の中から撮影者が選べるようになっている。以下、実施例６について説明する。
図１３は、本発明の実施例６における許容傾斜角度選択画面を示す図である。
【００７３】
まず、操作キーユニット１０を操作して、カメラのモニタ１５に、図１３に示す許容傾斜角度選択画面を表示させる。
次に、操作キーユニット１０を操作し、許容傾斜角度を選択設定する。選択されている角度が他の角度とは異なる色で表示される。この例では、選択可能な角度は、５度／１０度／３０度／６０度となっている。ＯＦＦを選択すると、音による通知自体を行わないものとする。図１３において選択されている許容傾斜角度は５度である。
【００７４】
ここで設定した許容傾斜角度を用いて、以下に述べるように通知音の制御が行われる。
図１４は、本発明の実施例６及び後述の実施例７における通知音制御を示すフローチャートである。ここで、基準となる角度（β）は水平である０°となっている。まず、許容傾斜角度選択画面で選択した許容傾斜角度が判定される。選択されている許容傾斜角度がＯＦＦの場合は、音による通知自体を行わずにこのフローを終了する。選択されている許容傾斜角度がＯＦＦ以外の場合は、これを許容傾斜角度（α）とする。
【００７５】
次に、上述した各実施例と同様に、図４の加速度センサフローで定期的に検出されている角度（θ）をもとに、角度判定が行われる。
検出角度（θ）が
−α＜θ＜＋α
でない場合は、通知音用の音声データが音声ブロック１０４−１２から出力され、通知音出力が実行される。
【００７６】
次に、通知間隔判定にて、前回通知音出力から１秒が経過したか否かが判定される。１秒経過後は、再び検出角度が、許容傾斜角度以内か否かの判定が繰り返される。
また、基準となる角度（β）が０°以外だった場合、角度判定式は
−α＜θ−｜β｜＜＋α
となる。
【００７７】
このように、実施例６においては、音声により姿勢情報の通知が行われる。そのため、ＬＣＤモニタ内に新たな表示を追加する必要がなく、被写体の視認性を損なうことがない。また、撮影者はＬＣＤモニタやファインダから目を離すことなく、容易にデジタルカメラ１の姿勢の傾き及びその程度を判断することができる。
なお、本実施例において通知音出力間隔は１秒であるとしたが、通知音出力間隔はこれに限られることはなく、他の時間にしてもよい。
【実施例７】
【００７８】
上述した実施例６においては、撮影者が予め設定されている複数の候補の中から基準となる角度の範囲を選択できるようになっていた。次の実施例７においては、撮影者が上記候補を任意に設定可能になっている。
図１５は、本発明の実施例７における許容傾斜角度任意設定画面を示す図である。
【００７９】
作業者は、操作キーユニット１０を操作し、カメラのモニタ１５に、許容傾斜角度任意設定画面を表示させる。そして、操作キーユニット１０を操作し、許容傾斜角度を設定する。その際の角度は、ＯＦＦから９０度と、１度刻みに選択可能とする。また、ＯＦＦを選択すると、音による通知自体を行わないものとする。図１５にて選択されている許容傾斜角度は８度である。
【００８０】
このように、実施例７においては、音声により姿勢情報の通知が行われる。そのため、ＬＣＤモニタ内に新たな表示を追加する必要がなく、被写体を見難くすることがない。また、撮影者はＬＣＤモニタから目を離すことなく、容易にデジタルカメラ１の姿勢の傾き及びその程度を判断することができる。
なお、本実施例において許容傾斜角度は１度刻みに選択可能としたが、本発明においてはこれに限らず、２度、５度、又は１０度刻み等でも良い。
【実施例８】
【００８１】
上述した各実施例においては、基準となる角度（β）は水平である０°としたが、実施例８ではこれを変更可能とする例である。
図１６は、本発明の実施例８における基準の角度となるカメラ姿勢角度選択画面を示す図である。
まず、撮影者は操作キーユニット１０を操作し、カメラのモニタ１５に、基準の角度である撮影者の目標のカメラ姿勢角度設定画面を表示させる。
【００８２】
次に、操作キーユニット１０を操作し、カメラ姿勢角度を設定する。選択可能な角度は、水平および垂直である。そして、選択されたカメラ姿勢角度に基づいて、以下に説明するように、傾斜状態の検出及び音声による通知が行われる。
【００８３】
図１７は、本発明の実施例８における傾斜状態通知音制御を示すフローチャートである。まず、図１５で選択した許容傾斜角度の判定が行われる。選択されている許容傾斜角度がＯＦＦの場合は、音声出力による傾斜状態通知自体を行わずにこのフローを終了する。
【００８４】
選択されている許容傾斜角度がＯＦＦ以外の場合は、これを許容傾斜角度（α）とする。次に、図１６のカメラ姿勢角度選択画面を用いて選択したカメラ姿勢角度が判定される。選択されているカメラ姿勢角度が水平の場合は(β)を０度とし、選択されているカメラ姿勢角度が水平の場合は(β)を−９０°とする。
そして、図４の加速度センサフローで定期的に検出している角度（θ）に基づいて角度判定を行う。カメラ姿勢角度の選択が水平の場合は(β)が０°であるので、検出角度（θ）が
−α＜θ＜＋α
でない場合は、傾斜状態通知用の音声出力が実行される。
【００８５】
また、カメラ姿勢角度の選択が垂直の場合は(β)が−９０°であるので、検出角度（θ）が
−α＜θ＋９０°＜＋α
でない場合は、傾斜状態通知用の音声出力が実行される。
次に、通知間隔判定にて、前回通知音出力から１秒経過したか否かが判定される。１秒経過後は、再び検出角度が、許容傾斜角度以内か否かの判定を繰り返す。
【００８６】
このように、実施例８においては、音声により姿勢情報の通知が行われる。そのため、ＬＣＤモニタ内に新たな表示を追加する必要がなく、被写体の視認性を損なうことがない。また、撮影者はＬＣＤモニタから目を離すことなく、容易にデジタルカメラ１の姿勢の傾き及びその程度を判断することができる。
【００８７】
なお、本実施例においては音声出力間隔を１秒としたが、本発明においてはそれに限らず、任意の音声出力間隔を用いることができる。
さらに、本実施例においては姿勢情報の通知を音声によって行ったが、本発明においてはそれに限られない。上述した実施例１のように、ＡＦターゲット枠の表示状態を変化させるなど、視覚的手段を用いて行っても良い。
【実施例９】
【００８８】
上述した実施例においては、傾斜情報の通知は撮影時に行われていた。しかし、本発明においてはそれに限らず、以下に述べる実施例９のように、撮影終了後に行われるようにしても良い。
【００８９】
まず、デジタルカメラ１を起動し、被写体を撮影可能な状態にする。そして、被写体が表示部に表示される。ここで、プロセッサ１０４は、ＣＣＤ２制御ブロック１０４−２からの輝度信号から、その輝度信号レベルが一定値になるように、ＴＧやＡＧＣを制御する自動露出（ＡＥ）処理を行う。また、ＣＣＤ２制御ブロック１０４−２からの色差信号を用いて、自動白バランス処理（ＡＷＢ）も行う。
【００９０】
次に、本実施例９における撮影と、画像データ及び姿勢情報の保存について説明する。
図１８は、本発明の実施例９における撮影と、画像データ及び角度情報の保存を示すフローチャートである。まず、レリーズボタン１が半押しされると（第一レリーズ）、図１８のフローの動作が開始される。
【００９１】
次に、前述のＡＥ処理が実施される。そして、フォーカスレンズ６２−２ａを駆動しながら、輝度信号にデジタルハイパスフィルタをかけた焦点検出信号をサンプリングして、最も焦点検出信号が大きかったサンプリングポイントのフォーカス位置にレンズを移動させて停止させる自動合焦制御（ＡＦ）が行われる。それに続き、ＡＷＢ（オートホワイトバランス）処理が行われる。
ＡＥ、ＡＦ、及び、ＡＷＢの一連の動作が完了したら、次に、レリーズボタンが最終段階まで押しされて第二レリーズが行われることにより、被写体の撮影が行われる。この第二レリーズが行われると同時に、定期的に算出している角度情報の積算が開始される。
【００９２】
そして、メカシャッタ６２−４ａを閉じて、ＣＣＤの撮像データをＲＡＷ  ＲＧＢ画像データとしてＳＤＲＡＭ１０３に格納する。この撮像処理が完了したら、角度情報の積算を停止し、サンプリングした数で除算して、平均角度を算出する。
また、上述したＲＡＷ  ＲＧＢ画像データは、ＹＵＶ変換、及び、ＪＰＥＧ圧縮する信号処理を経て、ＳＤＲＡＭ１０３内に格納される。
【００９３】
なお、データのファイル化処理は、上記ＪＰＥＧ圧縮データと平均角度情報を同一ファイル形式に納めることで行われる。そして、保存処理は、ファイル化したデータのＤＯＳ情報を更新して内蔵メモリ１０７又は撮像装置であるカメラに装着した外部メモリ（不図示）に保存する。
【００９４】
次に、記録保存された画像ファイルが再生される。
図１９は、本発明の実施例９において記録保存した画像ファイルを再生表示するとともに、角度情報を表示する様子を示すフローチャートである。図２０は本発明の実施例９における平均角度情報を示すインジケータを示す。
図１９において、まず、再生ボタン１１が操作されると、メモリ内に保存されている再生可能な画像ファイルが、ＤＯＳ情報を元に検索される。次に、再生可能なファイルがあった場合は、画像データがＪＰＥＧ伸張され、ＬＣＤモニタ１５に表示するための画像再生処理が行われ、表示される。
また、その際に、ファイル内に平均角度情報があれば、その角度もＬＣＤモニタ１５に表示される。角度表示は数値であっても、図２０に示すようなインジケータ表示であっても良い。図２０において目盛は角度を示しており、角度情報はポイントで示されている。
【００９５】
このように、本実施例では、撮影された画像データが撮影者の再生操作によりモニタ上に再生される際に、撮影時点での角度情報がモニタに同時表示される。そのため、撮影時にＬＣＤモニタ内に新たな表示を追加する必要がなく、被写体の視認性が損なわれることがない。
【実施例１０】
【００９６】
上述した実施例９においては、撮影後に、撮影者の再生操作により画像データがＬＣＤモニタ上に再生表示されるのと同時に、角度情報がＬＣＤモニタ上に再生されていた。一方、次に説明する実施例１０においては、撮影直後に画像が自動再生されるとともに、角度情報が表示される。
図２１は、本発明の実施例１０において撮影した画像ファイルを表示するとともに、角度情報を表示する様子を示すフローチャートである。
【００９７】
まず、第一レリーズを行うところまでは実施例９で図１８を用いて説明した態様と同じであるため、ここではその説明は省略する。
次に、第二レリーズ操作がされ、ファイル化処理が行われると、自動的にＳＤＲＡＭ内に残っている画像データが一定時間ＬＣＤモニタ１５上に表示される。また、この時、平均角度情報も同時にＬＣＤモニタ１５上に表示される。
【００９８】
そして、撮影された画像データが保存されるとともに、一定時間が経過したら、撮影動作が終了する。
このように、本実施例では、撮影された画像データが撮影者の再生操作によりモニタ上に再生される際に、撮影時点での角度情報がモニタに同時表示される。これにより、撮影時に、モニタなどに表示される被写体の視認性を損なうことなく、撮影者に角度情報の表示を行うことができる。
【００９９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１００】
例えば、実施例９及び実施例１０において、角度情報をＬＣＤモニタ１５上に表示するとともに、音声出力も同時に行われて角度情報を通知するようにしても良い。
図２２は、本発明の実施例９及び１０において音声出力が併用される場合の音声出力制御を示すフローチャートである。
【０１０１】
実施例９及び実施例１０の角度表示処理（図１９及び図２１参照）の際に、図２２のように、±０．５度以内なら通知音用の音声データを音声ブロック１０４−１２から出力しピー音（連続音）を発生させる。また、±０．５度より大きい場合は、ピピピ音（断続音）を発生させる。
これにより、撮影時に被写体を見難くすることなく、撮影者に角度情報の表示を行うことができる。
【０１０２】
さらに、本実施例においては撮影後に直ちに撮影画像が表示され、その画像とともに角度情報が表示されていたが、この画像表示を行うことなく、音声出力のみを行い、角度情報を通知するようにしても良い、
図２３は、本発明の実施例１０の別の態様を示すフローチャートである。
【０１０３】
図２３において、第一レリーズ、第二レリーズをした場合の処理は同じである。しかし、ファイル化後に画像を表示することなく、平均角度情報が±０．５度以内ならピー音（連続音）を、±０．５度より大きい場合は、ピピピ音（断続音）を発生させる。
これにより、撮影時にモニタなどに表示される被写体像の視認性を損なうことなく、撮影者に角度情報の表示を行うことができる。
【０１０４】
また、本実施形態においては、ＡＦターゲット枠の表示色を変化させるなど、表示の変化による角度情報の通知は実施例１においてのみ用いられていた。しかし、本発明においてはこれに限らず、ＡＦターゲット枠の表示変化による角度情報の通知を、他の実施例における撮影時にも用いるようにしても良い。
こうすることで、撮影時に、モニタなどによる被写体像の視認性を損なうことなく、撮影者に角度情報の表示を行うことができる。
【実施例１１】
【０１０５】
次に、本発明にかかる撮像装置および撮像方法の実施例１１について説明する。実施例１１は、ファインダの視野やモニタの表示領域などに複数のエリアを設定して各エリアにつき焦点を検出するマルチ焦点検出手段を備えていることを一つの特徴としている。そして、マルチ焦点検出手段による焦点検出動作前の前記傾斜状態表示手段による表示方法と、マルチ焦点検出手段による焦点検出動作後の前記傾斜状態表示手段による表示方法を異ならせるようにしたことをもう一つの特徴としている。
【０１０６】
図２４は、実施例１１の全体制御の手順を示すフローチャートであって、図７、図１８に示す制御手順に対応するものである。この制御手順は、撮影動作前に、角度検出定期処理を開始する点に特徴がある。以下、図２４に示すフローチャートに従って制御動作を説明する。まず、撮影動作前に、角度検出定期処理を開始する。角度検出処理は、図４で説明したように、加速度センサの電源をＯＮし、定期的に加速度センサのデータを取得し、角度を算出することによって行う。次に、全域ＡＦターゲット表示の更新処理を行う。この更新処理は、定期的な算出角度結果に応じて、全域ＡＦターゲットの枠表示を更新するものである。
【０１０７】
次に、レリーズ半押し判定ステップに進み、レリーズが半押し（第一レリーズ）されたかどうかを判定する。レリーズが半押しされていない場合は、前のステップに戻り、角度情報により、全域ＡＦターゲット表示の更新処理を定期的に行う。レリーズ半押しされた場合は、ＡＥ処理を行う。ここでは、測光結果をもとに、記録時に使用するシャッタスピード、絞り開口、ＩＳＯ感度値を決定する。
【０１０８】
次に、ＡＦ処理を行う。ここでは、山登り方式のＣＣＤ−ＡＦであり、撮影レンズを介し被写体像が結像されるＣＣＤから出力される画像信号のコントラストを示すＡＦ評価値が最大になるようにフォーカスレンズを移動させる。ＡＦ評価値を取得するエリアは、例えば全ＡＦ領域を９等分した９エリアあり、各エリアのＡＦ評価値のうち、最至近のエリアを選択エリアとして最終フォーカスレンズ位置とする。次に、選択エリアＡＦターゲット表示の更新処理を行う。定期的な角度算出結果に応じて、選択エリアＡＦターゲットの枠表示を更新する。図８（２）（４）は、マルチ焦点検出手段を備えている撮像装置のファインダ視野あるいはモニタ表示領域におけるＡＦターゲット枠の表示例を示している。このＡＦターゲット枠を利用した撮像装置の傾斜状態表示の具体例については後で説明する。
【０１０９】
次に、レリーズ全押し（第二レリーズ）判定を行い、全押しされた場合は画像記録処理を実行し、ＡＦターゲット表示を全域用に切り替える。また、レリーズ全押し判定にて、全押しされていない場合は、レリーズ半押し判定を行い、レリーズ半押しが継続されているかを判断する。レリーズ半押しが解除（ＯＦＦ）された場合は、ＡＦターゲット表示を全域用に切り替える。また、レリーズ半押しが継続されている場合は、選択エリアＡＦターゲット表示更新処理を継続する。
【０１１０】
このように、実施例１１によれば、マルチ焦点検出手段による焦点検出動作前の傾斜状態表示手段による表示方法は、選択されたＡＦターゲット枠による表示方法であり、マルチ焦点検出手段による焦点検出動作後の前記傾斜状態表示手段による表示方法は、全域用ＡＦターゲットによる表示方法であって、マルチ焦点検出手段による焦点検出動作前後において表示方法が異なる。
【０１１１】
次に、図８（２）（４）に示す、マルチ焦点検出手段を備えている撮像装置のファインダ視野あるいはモニタ表示領域におけるＡＦターゲット枠の表示例について説明する。図８（２）（４）はいずれも、全域用ＡＦターゲットと、マルチ焦点検出手段に対応したＡＦターゲット（以下「マルチＡＦターゲット」という）の中から選択された右側の上下方向中央のＡＦターゲットを表示した例を示す。この例におけるマルチＡＦターゲットは、全域用ＡＦターゲットを左右方向および上下方向にそれぞれ３等分した９つのターゲットからなる。図８（２）（４）では、マルチＡＦターゲットのうち右側の上下方向中央のターゲットのみを示しており、このターゲットを利用して傾斜状態を表示するようになっている。
上記マルチＡＦターゲットの一つは、焦点検出領域の右枠と左枠からなり、この右枠のみを赤表示または点滅させ、あるいは左枠のみを赤表示または点滅させ、さらには左右の全枠を緑表示または全表示させるかで、撮像装置の傾斜状態を表示するようになっている。以下、それぞれの例をより具体的に説明する。
【０１１２】
図８（２）に示す例は以下のとおりである。検出角度（θ）がθ≦−０．５°の場合は、選択されたＡＦターゲット表示の右枠を赤色で表示する（図８（２）−ｂ参照）。検出角度（θ）がθ≧＋０．５°の場合は選択されたＡＦターゲット表示の左枠部を赤表示にて表示する（図８（２）−ｃ参照）。検出角度（θ）が−０．５°＜θ＜＋０．５°の場合は、選択されたＡＦターゲット表示の枠全部を例えば緑色で表示する（図８（２）−ａ参照）。なお、ＡＦターゲットの表示色は、赤や緑に限られるものではなく、任意に設定可能である。
【０１１３】
図８（４）に示す例は以下のとおりである。検出角度（θ）がθ≦−０．５°の場合は、選択されたＡＦターゲット表示の右枠を点滅させる（図８（４）−ｂ参照）。検出角度（θ）がθ≧＋０．５°の場合は選択されたＡＦターゲット表示の左枠部を点滅させる（図８（４）−ｃ参照）。点滅周期は適宜設定して差し支えない。検出角度（θ）が−０．５°＜θ＜＋０．５°の場合は、選択されたＡＦターゲット表示の枠全部を全表示させる（図８（２）−ａ参照）。この場合の全表示とは、左右の枠全部点滅させる場合および連続点灯させる場合を含む。
【０１１４】
以上、各実施形態につき、ＬＣＤモニタに被写体やＡＦターゲット枠を表示するデジタルスチルカメラを例にして本発明の説明を行った。しかし、これに限らず、電子ファインダを通じて被写体やＡＦターゲット枠を確認する数々の撮像装置に本発明を応用することができる。
【産業上の利用可能性】
【０１１５】
本発明はデジタルスチルカメラの他、デジタルビデオカメラ等の撮像装置に利用することができる。
【図面の簡単な説明】
【０１１６】
【図１】本発明の実施形態に係るデジタルカメラの前方斜視図である。
【図２】本発明の実施形態に係るデジタルカメラの後方斜視図である。
【図３】本発明の実施形態に係るデジタルカメラに内蔵されている制御系統の例を示すブロック図である。
【図４】本発明の実施形態に係る加速度センサの制御フローチャートである。
【図５】本発明の実施例１における水平度表示制御を表すフローチャートである。
【図６】本発明の実施例１の水平度表示制御の別の態様を示すフローチャートである。
【図７】本発明の実施例１に係る撮像全体の制御を示すフローチャートである。
【図８】本発明に適用可能なＡＦ表示枠による傾斜状態表示の各種例を示すモデル図である。
【図９】本発明の実施例２における通知音制御を示すフローチャートである。
【図１０】本発明の実施例３における通知音制御を示すフローチャートである。
【図１１】本発明の実施例４における通知音制御を示すフローチャートである。
【図１２】本発明の実施例５における通知音制御を示すフローチャートである。
【図１３】本発明の実施例６における許容傾斜角度選択画面を示す図である。
【図１４】本発明の実施例６及び実施例７における通知音制御を示すフローチャートである。
【図１５】本発明の実施例７における許容傾斜角度任意設定画面を示す図である。
【図１６】本発明の実施例８における基準の角度となるカメラ姿勢角度選択画面を示す図である。
【図１７】本発明の実施例８における傾斜状態通知音制御を示すフローチャートである。
【図１８】本発明の実施例９における撮影と、画像データ及び角度情報の保存を示すフローチャートである。
【図１９】本発明の実施例９において記録保存した画像ファイルを再生表示するとともに、角度情報を表示する様子を示すフローチャートである。
【図２０】本発明の実施例９における平均角度情報を示すインジケータを示す図である。
【図２１】本発明の実施例１０において撮影した画像ファイルを表示するとともに、角度情報を表示する様子を示すフローチャートである。
【図２２】本発明の実施例９及び１０において音声出力が併用される場合の音声出力制御を示すフローチャートである。
【図２３】本発明の実施例１０の別の態様を示すフローチャートである。
【図２４】本発明のさらに別の実施例を示すフローチャートである。
【符号の説明】
【０１１７】
１…デジタルカメラ（カメラ本体）
２…シャッターボタン（レリーズボタン）
８…撮影レンズ
９…ズームボタン
１５…モニタ画面
２４…傾き検出部
２６…撮像素子
５１…大きな円
５２、５３…小円
６２…鏡胴ユニット
６２−１…ＺＯＯＭ光学系
６２−１ａ…ＺＯＯＭレンズ
６２−１ｂ…ＺＯＯＭモータ
６２−２…ＦＯＣＵＳ光学系
６２−２ａ…ＦＯＣＵＳレンズ
６２−２ｂ…ＦＯＣＵＳモータ
６２−５…モータドライバ
６３…メイン回路基板
６４…撮像素子回路基板
６５…傾き検出配線基板
６６…信号処理用の電気部品
６７…傾き検出センサ（加速度センサ）
１０２…フロントエンドＩＣ
１０３…ＳＤＲＡＭ
１０４…デジタルスチルカメラプロセッサ（プロセッサ）
１０４−３…ＣＰＵブロック
１０４−１１…Ｉ２Ｃブロック
１０７…内蔵メモリ
１０８…ＲＯＭ
【図１】
0005320808.tif 000002
【図２】
0005320808.tif 000003
【図３】
0005320808.tif 000004
【図４】
0005320808.tif 000005
【図５】
0005320808.tif 000006
【図６】
0005320808.tif 000007
【図７】
0005320808.tif 000008
【図８】
0005320808.tif 000009
【図９】
0005320808.tif 000010
【図１０】
0005320808.tif 000011
【図１１】
0005320808.tif 000012
【図１２】
0005320808.tif 000013
【図１３】
0005320808.tif 000014
【図１４】
0005320808.tif 000015
【図１５】
0005320808.tif 000016
【図１６】
0005320808.tif 000017
【図１７】
0005320808.tif 000018
【図１８】
0005320808.tif 000019
【図１９】
0005320808.tif 000020
【図２０】
0005320808.tif 000021
【図２１】
0005320808.tif 000022
【図２２】
0005320808.tif 000023
【図２３】
0005320808.tif 000024
【図２４】
0005320808.tif 000025